(57)【特許請求の範囲】
【請求項１】
上部接触ピン、下部接触ピン及びバネから構成されたバネコンタクトにおいて、
板状をし、所定のボディ厚さを有し、所定形状の接触部、バネの組立長さを固定し且つ離脱を防止するための左右２つの固定突起、及びボディを含む下部接触ピンと；
前記下部接触ピンと互いに直交するように結合し、前記下部接触ピンと同様に構成された上部接触ピンと；
前記下部接触ピンと前記上部接触ピンとの間に外嵌されるバネと；を含んでなり、
前記下部接触ピンと前記上部接触ピンのボディは、
各端部がボディの厚さより薄い厚さで形成され且つ各端部に傾斜面、係止突起及び係止突起接触面が形成された互いに対称な２つの弾性部を有し、２つの弾性部の内側には、前記上部接触ピンと前記下部接触ピンとが互いに結合したときに遊動空間を提供し、且つ前記上部接触ピンが前記下部接触ピンの方向に圧縮されて最大遊動の際に互いに接触して停止する左・右に傾斜面を有する停止面が一端に備えられた逃げ溝を構成し、前記下部接触ピン及び前記上部接触ピンの係止突起が収容されて係止及び遊動するように且つ前記下部接触ピン及び前記上部接触ピンの係止突起接触面と電気的に接触するように前記下部接触ピン及び前記上部接触ピンに遊動溝を構成し、
前記下部接触ピン及び前記上部接触ピンの遊動溝は、上面と下面に同様に構成され、その一端は相対接触ピンの係止突起を係止させる係止部を提供するための係止孔からなり、他端はバネの組立長さを固定し且つ離脱を防止するための左右２つの固定突起のバネ固定面を通過して接触部の方向に接触部の端まで延長されていることを特徴とする、バネコンタクト。
【請求項２】
前記遊動溝が、一端は相対接触ピンの係止突起を係止させる係止部を提供するための係止孔からなり、他端は、バネの組立長さを固定し且つ離脱を防止するための左右２つの固定突起のバネ固定面を通過して接触部の方向にさらに延長されているが、接触部の方向に接触部の端まで延長されてはいないことを特徴とする、請求項１に記載のバネコンタクト。
【請求項３】
前記遊動溝の一端は、相対接触ピンの係止突起を係止させる係止部を備え、係止孔を有しないことを特徴とする、請求項１又は２に記載のバネコンタクト。
【請求項４】
前記遊動溝は、
所定の深さを有し、溝の底部と他方の溝の底部との距離は２つの弾性部の係止突起の接触面間の距離と同一、或いはそれよりやや大きく、或いはそれよりやや小さくしたことを特徴とする、請求項１〜３のいずれか一項に記載のバネコンタクト。
【請求項５】
板状の上部接触ピンを下部接触ピンと同様に形成し、前記遊動溝は２つの固定突起のバネ固定面を通過して接触部の方向にさらに延長されているが、接触部の方向に端まで延長されてはおらず、前記下部接触ピンの遊動溝は２つの固定突起の下側のバネ固定面を通過して接触部の方向に端部まで延長されるように形成しながら、前記上部接触ピンを下方に圧縮する場合、前記上部接触ピンのボディに連結された２つのボディ端部が前記下部接触ピンの接触部の端まで圧縮到達し、或いは前記下部接触ピンの接触部よりさらに下方に位置しうるように構成したバネコンタクトであることを特徴とする、請求項１に記載のバネコンタクト。
【請求項６】
前記上部接触ピンと前記下部接触ピンを同一の形状及び寸法に構成したものであって；前記遊動溝は２つの固定突起のバネ固定面を通過して前記接触部の方向に端まで延長されるように形成して、前記上部接触ピンを下方に圧縮する場合、前記上部接触ピンと前記下部接触ピンのボディに連結された２つのボディ端部が前記上部接触ピンと前記下部接触ピンの接触部の端まで到達し、或いは前記上部接触ピンと前記下部接触ピンの接触部よりさらに下方に位置しうるように構成して、最大圧縮された長さが前記上部接触ピンと前記下部接触ピンの長さと同一になるように構成したバネコンタクトであることを特徴とする、請求項５に記載のバネコンタクト。
【請求項７】
前記下部接触ピンの接触部の形状が前記上部接触ピンの接触部の形状と異なることを特徴とする、請求項１に記載のバネコンタクト。
【請求項８】
バネコンタクトを内蔵するソケットを構成する際に、上側プレート、下側プレート及びバネコンタクトから構成し、前記上側プレートと前記下側プレートには所定のバネコンタクトを収納することが可能な１個或いは複数個の収納孔を形成し、前記上側プレートと前記下側プレートとを組み立てる構造であって、上側又は下側に複数の係止突起を形成し、係止突起が相対の下側或いは上側に組み立てられるように対応する係止部を形成して下側プレートを上側に組み立てるとき、下側或いは上側に形成された複数の係止突起が相手の上側あるいは下側の対応する係止部に組み立てるようにするが、上・下側プレートを分解するとき、前記係止突起或いは前記係止部が弾性変形しながら組立できるように、前記係止突起或いは前記係止部の隣に長孔を形成して前記係止突起或いは前記係止部の両側に薄い弾性部を構成することを特徴とする、バネコンタクト内蔵ソケット。
【請求項９】
バネコンタクトを内蔵するソケットを構成する際に、上側プレート、下側プレート及びバネコンタクトから構成し、前記上側プレートと前記下側プレートには、所定のバネコンタクトを収納することが可能な１個或いは複数個の収納孔を形成し、前記上側プレートの上側に形成されたコンタクト収納孔の外部形状を柱にして、前記柱と前記柱との間には空間を形成し、前記柱が通過し得るように多数の柱に対応する孔を形成した電磁気遮蔽プレートが前記上側プレートに覆われるようにし、ソケットをＰＣＢに組み立てるときに前記遮蔽プレートがＰＣＢのグラウンドと電気的に接続されるように構成した電磁気遮蔽型であることを特徴とする、バネコンタクト内蔵ソケット。
【請求項１０】
前記上部接触ピン或いは前記下部接触ピンの所定形状の接触部がボディの中心に対して偏心するように延長し、前記下部接触ピンの接触部と前記上部接触ピンの接触部が上下偏心するようにしたバネコンタクトであることを特徴とする、請求項１に記載のバネコンタクト。
【請求項１１】
ソケットを構成するにあたって、上側プレートと下側プレートが複数のガイドピンからなり、前記上側プレートと前記下側プレートには所定のバネコンタクト収納孔を複数個構成し、
下部接触ピンの接触部と上部接触ピンの接触部が上下偏心したバネコンタクト（Ａ）と、前記下部接触ピンの接触部と前記上部接触ピンの接触部が同心のバネコンタクト（Ｂ）をＡ、Ｂ、Ａの順に配列するが；
前記上部接触ピンが一直線となるように配列し、前記上部接触ピン間の間隔ピッチＰを、複数個の前記下部接触ピンの接触部と前記上部接触ピンの接触部が同心のバネコンタクトを一列に配列した間隔より１／３の間隔で配列可能にし、それぞれ前記上部接触ピンの接触部と前記下部接触ピンの接触部が偏心した距離を異ならしめて構成した複数種の偏心したバネコンタクト（Ｃ、Ａ）と下部接触ピンの接触部と上部接触ピンの接触部が同心のバネコンタクトの組み合わせ配列としてＣ、Ａ、Ｂ、Ａ、Ｃのように一列に配列して前記上部接触ピンと前記下部接触ピンの間隔ピッチを複数個分の１に配列するように狭ピッチソケットの構造を取ることを特徴とする、バネコンタクト内蔵ソケット。
【請求項１２】
上部接触ピン、下部接触ピン及びバネから構成されたバネコンタクトにおいて、
板状をし、所定のボディ厚さを有し、所定形状の接触部、バネの組立長さを固定し且つ離脱を防止するための左右２つの固定面、及びボディを含む下部接触ピンと；
前記下部接触ピンと互いに直交するように結合し、所定形状の接触部、バネの組立長さを固定し且つ離脱を防止するための左右２つの固定突起、バネ固定面、及びボディを含む上部接触ピンと；
前記下部接触ピンと前記上部接触ピンとの間に外嵌されるバネと；を含んでなり、
前記下部接触ピンと前記上部接触ピンのボディは、各端部がボディの厚さより薄い厚さで形成され且つ各端部に傾斜面、係止突起及び係止突起接触面が形成された互いに対称な２つの弾性部を有し、２つの弾性部の内側には、前記上部接触ピンと前記下部接触ピンとが互いに結合したときに遊動空間を提供し、且つ相互最大遊動の際に互いに接触して停止する左・右に傾斜面を有する停止面が一端に備えられた逃げ溝を構成し、前記下部接触ピン及び前記上部接触ピンの係止突起を収容して係止及び遊動するように且つ前記下部接触ピン及び前記上部接触ピンの係止突起接触面と電気的に接触するように前記下部接触ピン及び前記上部接触ピンに遊動溝を構成し、
前記遊動溝は、各下部接触ピンと上部接触ピンの上面と下面に同様に構成され、その一端は相対接触ピンの係止突起を係止させる係止部を提供するための係止孔からなり、他端は前記バネの組立長さを固定し且つ離脱を防止するための左右２つの固定面を通過して接触部の方向にさらに延長され、
前記下部接触ピンの２つのバネ固定面をさらに延長してソケットのモールド物に前記下部接触ピンを圧入固定する目的で、組立停止面を構成し、延長された固定突起を形成し、前記固定突起の端部にはソケットのモールド物に下部接触ピンを圧入した後の抜けを防止する目的で圧入固定突起をさらに有し、下部接触ピンの接触部はＰＣＢにハンダ付けすることを特徴とする、バネコンタクト。
【請求項１３】
前記下部接触ピンと前記上部接触ピンのボディに構成された遊動溝は、所定の深さを有し、溝の底部と他方の溝の底部との距離は２つの弾性部に形成された係止突起の接触面間の距離と同一、或いはそれよりやや大きく、或いはそれよりやや小さくしたことを特徴とする、請求項１２に記載のバネコンタクト。
【請求項１４】
前記遊動溝の一端は、相対接触ピンの係止突起を係止させる係止部を提供するための係止孔からなり、前記遊動溝の他端は前記バネの組立長さを固定し且つ離脱を防止するための左右２つの固定面を通過して接触部の方向にさらに延長され、延長された端に孔を形成したことを特徴とする、請求項１３に記載のバネコンタクト。
【請求項１５】
バネコンタクトを１個或いは複数個内蔵するソケットにおいて、
上部接触ピン、下部接触ピン、及びバネから構成されたバネコンタクトは、
板状をし、所定のボディ厚さを有し、所定形状の接触部、バネの組立長さを固定し且つ離脱を防止すための左右２つのバネ固定面、及びボディを含む下部接触ピンと；
前記下部接触ピンと互いに直交するように結合し、板状をし、所定形状の接触部と、バネの組立長さを固定し且つ離脱を防止するための左右２つの固定突起、バネ固定面、及びボディを含む上部接触ピンと；
前記下部接触ピンと前記上部接触ピンとの間に外嵌されるバネと；を含んでなり、
前記下部接触ピンと前記上部接触ピンのボディは、
各端部がボディの厚さより薄い厚さで形成され且つ各端部に傾斜面、係止突起及び係止突起接触面が形成された互いに対称な２つの弾性部を有し、２つの弾性部の内側には、前記上部接触ピンと前記下部接触ピンとが互いに結合したときに遊動空間を提供し、且つ相互最大遊動の際に互いに接触して停止する左・右に傾斜面を有する停止面が端部に備えられた逃げ溝を構成し、前記下部接触ピン及び前記上部接触ピンの係止突起が収容されて係止及び遊動するように且つ前記下部接触ピン及び前記上部接触ピンの係止突起接触面と電気的に接触するように前記下部接触ピン及び前記上部接触ピンに遊動溝を構成し、
前記遊動溝は、各下部接触ピンと上部接触ピンの上面と下面に同様に構成され、その一端は相対接触ピンの係止突起を係止させる係止部を提供するための係止孔からなり、他端は前記バネの組立長さを固定し且つ離脱を防止するための左右２つの固定面を通過して接触部の方向にさらに延長され、
前記下部接触ピンの２つのバネ固定面をさらに延長して組立停止面を構成し、延長された固定突起を形成し、固定突起の端部にはソケットのモールド物に下部接触ピンを圧入固定する目的で圧入固定突起及び溝をさらに有し、前記下部接触ピンの接触部をＰＣＢにハンダ付けし、
前記ソケットのモールド物は前記バネコンタクトを１個或いは複数個収納する収納孔を形成し、前記収納孔の一側には上部接触ピンの接触部が収納孔の外部に突出して遊動するように遊動孔を形成し、前記収納孔の他側には下部接触ピンの２つのバネ固定突起を延長して端部に形成された圧入固定突起が圧入固定できるように圧入溝が形成され、両側の２つの圧入溝の外壁間の間隔及び溝の幅は前記バネコンタクトの固定突起の２つの端部の距離及び前記下部接触ピンの厚さがガイドされるように形成され、一側には前記下部接触ピンのバネ固定面をさらに延長した組立停止面が停止するように圧入停止面が形成され、ソケットモールド物の下側にはソケット安着突起を形成してソケットをＰＣＢにハンダ付けするときに安定するように構成し、
前記バネコンタクトは前記ソケットモールド物の前記収納孔内に収納され、前記下部接触ピンは前記ソケットモールド物に固定され、前記上部接触ピンは前記遊動孔を介して上下遊動するように構成し、前記下部接触ピンの接触部はＰＣＢにハンダ付けすることを特徴とする、バネコンタクト内蔵ソケット。
【請求項１６】
前記下部接触ピンの接触部を一字状に直下方向に長く形成してＰＣＢへの貫通型ハンダ付け型ソケットを構成することを特徴とする、請求項１２に記載のバネコンタクト。
【請求項１７】
前記ＰＣＢにハンダ付けする前記下部接触ピンの接触部を９０°折り曲げてＰＣＢへの水平スルーホールハンダ付け型ソケットを構成することを特徴とする、請求項１２に記載のバネコンタクト。
【請求項１８】
前記ＰＣＢにハンダ付けする前記下部接触ピンの接触部を一字状に直下方向に短く形成してＰＣＢへの垂直表面実装型ソケットを構成することを特徴とする、請求項１２に記載のバネコンタクト。
【請求項１９】
前記ＰＣＢにハンダ付けする前記下部接触ピンの接触部を９０°２回「Ｓ」字状に折り曲げてＰＣＢへの水平表面実装型ソケットを構成することを特徴とする、請求項１２に記載のバネコンタクト。
【請求項２０】
前記ＰＣＢにハンダ付けする前記下部接触ピンの接触部を２つの端部が備えられるようにし、両側に９０°分岐折り曲げてＰＣＢへの垂直表面実装型ソケットを構成することを特徴とする、請求項１２に記載のバネコンタクト。
【請求項２１】
前記ＰＣＢにハンダ付けする前記下部接触ピンの接触部を「Ｕ」字状に折り曲げて電線、ワイヤーに連結できるように構成したことを特徴とする、請求項１２に記載のバネコンタクト。
【請求項２２】
前記上部接触ピン及び前記下部接触ピンの接触部の形状はＶ字形、面取りしたＶ字形、Ｕ字形、面取りしたＵ字形、Ａ字形、面取りしたＡ字形、ラウンド形、及び面取りしたラウンド形のいずれか一つであることを特徴とする、請求項１、１０及び１２のいずれか一項に記載のバネコンタクト。
【発明の詳細な説明】
【技術分野】
【０００１】
本発明は、バネコンタクト及びバネコンタクト内蔵ソケットに関し、さらに詳しくは、ＩＣをテストするためのテストソケットに内蔵された、ＩＣの複数のリード(lead)とＰＣＢの複数のパッド(pad)を１：１で電気的に接続させるためのバネコンタクト及びバネコンタクト内蔵ソケット、パーソナルコンピュータ（ＰＣ）やモバイルホーンなどの電子製品の内部にあるＰＣＢにＣＰＵなどのＩＣの端子(lead)を電気的に接続させるためのバネコンタクト及びバネコンタクト内蔵ソケット、そしてより広範囲には一方から他方に電気的に接続するためのバネコンタクト及びバネコンタクト内蔵ソケットに関する。
【背景技術】
【０００２】
従来のバネコンタクトは、図１〜図４ｂに示すように、ＰＣＢとＩＣの端子(Lead)とを電気的に接続させる機能を有し、ＩＣをテストするソケットの核心部品である。
【０００３】
次に、図１〜図４ｂを参照して、従来のバネコンタクトの構造、動作機能及び欠点についてより具体的に説明する。
【０００４】
従来のバネコンタクトは、検査対象である別途の半導体ＩＣのリードと接触させるための所定形状の接触部１１１、バネの組立長さを固定し且つ離脱を防止するための左右２つの固定突起１１２、１１３、２つの固定突起が形成するバネ固定面１５０、及びボディ１１８を含む上部接触ピン１１０と；前記上部接触ピンと互いと互いに直交するように結合する下部接触ピン１３０と；前記上部接触ピンと前記下部接触ピンとの間に外嵌されるバネ１９０と；を含んでなる。前記ボディ１１８は、端部に傾斜面１２２、接触面１２３及び係止突起１２１が形成された互いに対称な２つの弾性部１１９を有し、前記２つの弾性部１１９の内側には、前記下部接触ピン１３０と結合したときに遊動空間を提供し且つ一端が停止面１４０からなる逃げ溝１２０が形成され、前記下部接触ピン１３０の係止突起が収容されて係止及び遊動するように且つ前記下部接触ピン１３０の係止突起の接触面１２３および側面接触部１２４と電気的に接触するように遊動溝１１６及び側壁１１５が形成されている。遊動溝は、一側に係止部１１７が形成され、他側は前記バネの組立長さを固定し且つ離脱を防止するための左右２つの固定突起が形成するバネ固定面１５０まで形成されることを特徴としている。
【０００５】
次に、前記バネコンタクトの動作関係について図４ａ及び図４ｂを参照して説明する。
【０００６】
図４ａは従来のバネコンタクトの作動距離を説明するための図、図４ｂは作動最大距離を説明するための図である。図４ａの左部分は従来のバネコンタクトの初期組立状態を示し、図４ａの右部分はＳ距離だけ圧縮された状態を示している。
【０００７】
図４ａの左部分に示すような、上下各接触ピンの初期組立状態から図４ｂに示すような、各接触ピンの作動停止面１４０が互いに接する状態までの距離（Ｓｍａｘ）が作動最大距離となり、この際、上下各接触ピンの作動停止面が互いに接しており、上下接触ピンの各ボディ端部の接触面１２３は相対側接触ピンの遊動溝１１６内に位置し、上下接触ピンのボディ端部１４９の位置はバネの組立長さを固定し且つ離脱を防止するための左右２つの固定突起１１２、１１３まで至っている。
【発明の概要】
【発明が解決しようとする課題】
【０００８】
本発明は、上述した従来の技術に係る問題点を解決するためのもので、その目的は、前記従来のバネコンタクトの一般な構造とバネコンタクトを活用したバネコンタクト内蔵ソケットの構造を、急速に発展及び多様化しているＩＣのテストソケット及び電気電子製品に内蔵される各種ソケット用として使用するにあたっての問題点と限界点を解決し、より様々に適用することができるように、且つ特殊な場合と条件で適用することができるように発明した、バネコンタクト及びバネコンタクト内蔵ソケットを提供することにある。
【０００９】
より具体的に、本発明は、従来のバネコンタクトの構造では超高速信号の処理が不可能な問題点を解決するために、
バネコンタクトの長さが最小長さ（１．０ｍｍ以下の長さ）のバネコンタクトを実現するためのバネコンタクトの構造及びバネコンタクト内蔵ソケットの構造を提供し、電磁波遮蔽型ソケットを提供し、極めて小さいピッチ（０．４ｍｍ間隔以下）の端子配列を有するテスト対象物、すなわちＩＣ或いはＬＣＤのリードのようなものをテストすることができるように発明したバネコンタクト及びバネコンタクト内蔵ケットの構造、そして多様なハンダ付けタイプのバネコンタクト及びバネコンタクト内蔵ソケットを提供することを目的とする。
【課題を解決するための手段】
【００１０】
上記技術的課題を解決するために、本発明のバネコンタクトは、板状をし、所定のボディ厚さ（ｔ）を有し、所定形状の接触部、バネの組立長さを固定し且つ離脱を防止するための左右２つの固定突起、及びボディを含む下部接触ピンと；前記下部接触ピンと互いに直交するように結合し、前記下部接触ピンと同一又は類似の形状を有する上部接触ピンと；前記下部接触ピンと前記上部接触ピンとの間に外嵌されるバネと；を含んでなり、前記下部接触ピンと前記上部接触ピンのボディは、各端部がボディの厚さより薄い厚さｔ１で形成され且つ各端部に傾斜面、係止突起及び係止突起接触面が形成された互いに対称な２つの弾性部を有し、２つの弾性部の内側には、前記上部接触ピンと前記下部接触ピンとが互いに結合したときに遊動空間を提供し、且つ前記上部接触ピンが前記下部接触ピンの方向に圧縮されて最大遊動の際に互いに接触して停止する左・右傾斜面を有する停止面が一端に備えられた逃げ溝を構成し、前記下部接触ピン及び前記上部接触ピンの係止突起が収容されて係止及び遊動するように且つ前記下部接触ピン及び前記上部接触ピンの係止突起接触面に電気的に接触するように前記下部接触ピン及び前記上部接触ピンに遊動溝を構成し、前記下部接触ピン及び前記上部接触ピンの遊動溝は、上面と下面に同様に構成され、その一端は相対の接触ピンの係止突起を係止させる係止部を提供するための係止孔からなり、他端はバネの組立長さを固定し且つ離脱を防止するための左右２つの固定突起のバネ固定面を通過して接触部の方向にさらに延長され或いは接触部の端まで延長されていることを特徴とする。
【発明の効果】
【００１１】
上述した本発明によれば、超高速信号の処理を可能にするためのバネコンタクトの長さが最小長さ（１．０ｍｍ以下の長さ）のバネコンタクトを実現するバネコンタクトの構造及びバネコンタクト内蔵ソケットの構造を提供し、電磁波遮蔽型ソケットを提供し、極めて小さいピッチ（０．４ｍｍの間隔以下）の端子配列を有するテスト対象物、すなわちＬＣＤのリードなどのものをテストすることができるように発明した偏心バネコンタクト及び偏心バネコンタクト内蔵ケットの構造、そして多様なハンダ付けタイプのバネコンタクト及びバネコンタクト内蔵ソケットを提供することができるので、非常に有用な発明である。
【図面の簡単な説明】
【００１２】
【図１】従来のバネコンタクトを示す図である。
【図２】従来のバネコンタクトの部品展開を示す図である。
【図３ａ】従来のバネコンタクトの部品構造を示す平面図である。
【図３ｂ】従来のバネコンタクトの部品構造を示す右側断面図である。
【図４ａ】従来のバネコンタクトの動作及び最大圧縮距離を示す図である。
【図４ｂ】従来のバネコンタクトの動作及び最大圧縮距離を示す図である。
【図５ａ】本発明に係る第１バネコンタクト接触ピンの平面図である。
【図５ｂ】図５ａの右側断面図である。
【図６ａ】本発明に係る第１バネコンタクトの他の接触部形状を有する接触ピンの平面図である。
【図６ｂ】図６ａの右側断面図である。
【図７ａ】本発明に係る上下同一の接触ピンから構成された第１バネコンタクトの組み立てられた状態の正断面図である。
【図７ｂ】図７ａの右側断面図である。
【図７ｃ】図７ａの斜視図である。
【図８ａ】図７ａのバネコンタクトを最大圧縮する場合、上部接触ピンの長さと、該上部接触ピンと同一の部品である下部接触ピンの長さとが同じであることを示す図である。
【図８ｂ】図８ａの斜視図である。
【図９ａ】本発明に係る上下異なる接触部形状を有する接触ピンから構成された第１バネコンタクトの組み立てられた状態の正断面図である。
【図９ｂ】図９ａの右側断面図である。
【図１０】図９ａのバネコンタクトを最大圧縮する場合、上部接触ピンの端部が下部接触ピンの接触部まで圧縮されてバネコンタクトの圧縮長さが上部コンタクトの長さと同一になることを示す図である。
【図１１ａ】本発明に係る第１バネコンタクトを内蔵する第１ソケットの組立構造を示す平面図である。
【図１１ｂ】図１１ａの右側断面図である。
【図１１ｃ】図１１ａの正断面図である。
【図１２】図１１ｃの（ａ）部分を拡大及び展開した断面図である。
【図１３ａ】図１１のソケットの下側プレートの平面図である。
【図１３ｂ】図１３ａの右側面図である。
【図１３ｃ】図１３ａの正断面図である。
【図１４ａ】本発明に係るソケットの電磁気遮蔽プレートの平面図である。
【図１４ｂ】図１４ａの右側断面図である。
【図１５ａ】本発明に係る電磁気遮蔽型第２ソケットの構造を示す平面図である。
【図１５ｂ】図１５ａの右側断面図である。
【図１５ｃ】図１５ａの正断面図である。
【図１６ａ】本発明に係る電磁気遮蔽ソケットと遮蔽プレートとが組み立てられた状態の平面図である。
【図１６ｂ】図１６ａの右側断面図である。
【図１７】図１６ｂの（ｂ）部分の拡大及び展開図である。
【図１８ａ】本発明に係る第２バネコンタクトの上部接触ピンの接触部が偏心した構造を示す平面図である。
【図１８ｂ】図１８ａの右側面図である。
【図１９ａ】本発明に係る第２バネコンタクトの下部接触ピンの構造を示す平面図である。
【図１９ｂ】図１９ａの右側面図である。
【図２０ａ】本発明に係る第２偏心バネコンタクトの構造を示す平面図である。
【図２０ｂ】図２０ａの右側面図である。
【図２１ａ】本発明に係る第２偏心バネコンタクトの別の構造を示す平面図である。
【図２１ｂ】図２１ａの右側面図である。
【図２２ａ】本発明に係る第２偏心バネコンタクトを内蔵する第３ソケットの構造を示す平面図である。
【図２２ｂ】図２２ａの右側断面図である。
【図２２ｃ】図２２ａの正断面図である。
【図２２ｄ】図２２ａの底面図である。
【図２３ｂ】図２２ｂの拡大図である。
【図２３ａ】それぞれ同平面図、底面図である。
【図２３ｂ】それぞれ同平面図、底面図である。
【図２３ｃ】それぞれ同平面図、底面図である。
【図２４ａ】本発明の係る第３バネコンタクトの下部接触ピンの構造を示す図である。
【図２４ｂ】本発明の係る第３バネコンタクトの下部接触ピンの構造を示す図である。
【図２５ａ】本発明に係る第３バネコンタクトの上部接触ピンの構造を示す図である。
【図２５ｂ】本発明に係る第３バネコンタクトの上部接触ピンの構造を示す図である。
【図２６ａ】本発明に係る第３バネコンタクトの構造を示す図である。
【図２６ｂ】本発明に係る第３バネコンタクトの構造を示す図である。
【図２７ａ】本発明に係る第３バネコンタクトを内蔵する第４ソケットのハウジング構造を示す図である。
【図２７ｂ】本発明に係る第３バネコンタクトを内蔵する第４ソケットのハウジング構造を示す図である。
【図２７ｃ】本発明に係る第３バネコンタクトを内蔵する第４ソケットのハウジング構造を示す図である。
【図２７ｄ】本発明に係る第３バネコンタクトを内蔵する第４ソケットのハウジング構造を示す図である。
【図２８ａ】本発明に係る第３バネコンタクトを内蔵した第４ソケットの構造としてＶｅｒｔｉｃａｌ  Ｔｙｐｅの構造を示す図である。
【図２８ｂ】本発明に係る第３バネコンタクトを内蔵した第４ソケットの構造としてＶｅｒｔｉｃａｌ  Ｔｙｐｅの構造を示す図である。
【図２９ａ】本発明に係る第３バネコンタクトを内蔵した第４ソケット（Ｖｅｒｔｉｃａｌ  Ｔｙｐｅ）の複数配列構造を示す図である。
【図２９ｂ】本発明に係る第３バネコンタクトを内蔵した第４ソケット（Ｖｅｒｔｉｃａｌ  Ｔｙｐｅ）の複数配列構造を示す図である。
【図２９ｃ】本発明に係る第３バネコンタクトを内蔵した第４ソケット（Ｖｅｒｔｉｃａｌ  Ｔｙｐｅ）の複数配列構造を示す図である。
【図３０ａ】本発明に係る第３バネコンタクトの下部接触ピンの接触部を９０°折り曲げたＡｎｇｌｅ  Ｔｙｐｅスルーホールハンダ付け型バネコンタクトの平面図及び正面図である。
【図３０ｂ】本発明に係る第３バネコンタクトの下部接触ピンの接触部を９０°折り曲げたＡｎｇｌｅ  Ｔｙｐｅスルーホールハンダ付け型バネコンタクトの平面図及び正面図である。
【図３０ｃ】同Ａｎｇｌｅ  Ｔｙｐｅスルーホールハンダ付け型バネコンタクトを複数列内蔵したＡｎｇｌｅ  Ｔｙｐｅスルーホールハンダ付け型ソケットの正面図である。
【図３１ａ】本発明に係る第３バネコンタクトの下部接触ピンの接触部を一字状に直下方向に形成した表面実装ハンダ付け型（Ｖｅｒｔｉｃａｌ  ＳＭＴ  Ｔｙｐｅ）バネコンタクトの平面図及び側面図である。
【図３１ｂ】本発明に係る第３バネコンタクトの下部接触ピンの接触部を一字状に直下方向に形成した表面実装ハンダ付け型（Ｖｅｒｔｉｃａｌ  ＳＭＴ  Ｔｙｐｅ）バネコンタクトの平面図及び側面図である。
【図３２ａ】本発明に係る第３バネコンタクトの下部接触ピンの接触部を一字状に直下方向に形成した表面実装ハンダ付け型（Ａｎｇｌｅ  ＳＭＴ  Ｔｙｐｅ）バネコンタクトを内蔵したＶｅｒｔｉｃａｌ  ＳＭＴ  Ｔｙｐｅソケットの平面図、右側断面図及び正断面図である。
【図３２ｂ】本発明に係る第３バネコンタクトの下部接触ピンの接触部を一字状に直下方向に形成した表面実装ハンダ付け型（Ａｎｇｌｅ  ＳＭＴ  Ｔｙｐｅ）バネコンタクトを内蔵したＶｅｒｔｉｃａｌ  ＳＭＴ  Ｔｙｐｅソケットの平面図、右側断面図及び正断面図である。
【図３２ｃ】本発明に係る第３バネコンタクトの下部接触ピンの接触部を一字状に直下方向に形成した表面実装ハンダ付け型（Ａｎｇｌｅ  ＳＭＴ  Ｔｙｐｅ）バネコンタクトを内蔵したＶｅｒｔｉｃａｌ  ＳＭＴ  Ｔｙｐｅソケットの平面図、右側断面図及び正断面図である。
【図３３ａ】本発明に係る第３バネコンタクトの下部接触ピンの接触部を９０°２回Ｓ字状に折り曲げたＡｎｇｌｅ  Ｔｙｐｅ表面実装型（Ａｎｇｌｅ  ＳＭＴ  Ｔｙｐｅ）バネコンタクトの平面図及び正面図である。
【図３３ｂ】本発明に係る第３バネコンタクトの下部接触ピンの接触部を９０°２回Ｓ字状に折り曲げたＡｎｇｌｅ  Ｔｙｐｅ表面実装型（Ａｎｇｌｅ  ＳＭＴ  Ｔｙｐｅ）バネコンタクトの平面図及び正面図である。
【図３４ａ】本発明に係る第３バネコンタクトの下部接触ピンの接触部を９０°２回Ｓ字状に折り曲げたＡｎｇｌｅ  Ｔｙｐｅ表面実装型（Ａｎｇｌｅ  ＳＭＴ  Ｔｙｐｅ）バネコンタクトを内蔵した複数列Ａｎｇｌｅ  ＳＭＴ  Ｔｙｐｅソケットの平面図及び右側断面図である。
【図３４ｂ】本発明に係る第３バネコンタクトの下部接触ピンの接触部を９０°２回Ｓ字状に折り曲げたＡｎｇｌｅ  Ｔｙｐｅ表面実装型（Ａｎｇｌｅ  ＳＭＴ  Ｔｙｐｅ）バネコンタクトを内蔵した複数列Ａｎｇｌｅ  ＳＭＴ  Ｔｙｐｅソケットの平面図及び右側断面図である。
【図３５ａ】本発明に係る第３バネコンタクトの下部接触ピンの対をなす２つの接触部を互いに異なる両方向に９０°折り曲げたＶｅｒｔｉｃａｌ  Ｔｙｐｅ表面実装型（Ｖｅｒｔｉｃａｌ  ＳＭＴ  Ｔｙｐｅ）バネコンタクトの平面図、正面図、右側面図及び底面図である。
【図３５ｂ】本発明に係る第３バネコンタクトの下部接触ピンの対をなす２つの接触部を互いに異なる両方向に９０°折り曲げたＶｅｒｔｉｃａｌ  Ｔｙｐｅ表面実装型（Ｖｅｒｔｉｃａｌ  ＳＭＴ  Ｔｙｐｅ）バネコンタクトの平面図、正面図、右側面図及び底面図である。
【図３５ｃ】本発明に係る第３バネコンタクトの下部接触ピンの対をなす２つの接触部を互いに異なる両方向に９０°折り曲げたＶｅｒｔｉｃａｌ  Ｔｙｐｅ表面実装型（Ｖｅｒｔｉｃａｌ  ＳＭＴ  Ｔｙｐｅ）バネコンタクトの平面図、正面図、右側面図及び底面図である。
【図３５ｄ】本発明に係る第３バネコンタクトの下部接触ピンの対をなす２つの接触部を互いに異なる両方向に９０°折り曲げたＶｅｒｔｉｃａｌ  Ｔｙｐｅ表面実装型（Ｖｅｒｔｉｃａｌ  ＳＭＴ  Ｔｙｐｅ）バネコンタクトの平面図、正面図、右側面図及び底面図である。
【図３６ａ】本発明に係る第３バネコンタクトの下部接触ピンの対をなす２つの接触部を互いに異なる両方向に９０°折り曲げたＶｅｒｔｉｃａｌ  Ｔｙｐｅ表面実装型（Ｖｅｒｔｉｃａｌ  ＳＭＴ  Ｔｙｐｅ）バネコンタクトを複数個内蔵するソケットの平面図、正面図及び右側面図である。
【図３６ｂ】本発明に係る第３バネコンタクトの下部接触ピンの対をなす２つの接触部を互いに異なる両方向に９０°折り曲げたＶｅｒｔｉｃａｌ  Ｔｙｐｅ表面実装型（Ｖｅｒｔｉｃａｌ  ＳＭＴ  Ｔｙｐｅ）バネコンタクトを複数個内蔵するソケットの平面図、正面図及び右側面図である。
【図３６ｃ】本発明に係る第３バネコンタクトの下部接触ピンの対をなす２つの接触部を互いに異なる両方向に９０°折り曲げたＶｅｒｔｉｃａｌ  Ｔｙｐｅ表面実装型（Ｖｅｒｔｉｃａｌ  ＳＭＴ  Ｔｙｐｅ）バネコンタクトを複数個内蔵するソケットの平面図、正面図及び右側面図である。
【図３７ａ】本発明に係る第３バネコンタクトの下部接触ピンの接触部をＵ字状に折り曲げたＷＩＲＥ  Ｔｙｐｅバネコンタクトの平面図、右側面図及び底面図である。
【図３７ｂ】本発明に係る第３バネコンタクトの下部接触ピンの接触部をＵ字状に折り曲げたＷＩＲＥ  Ｔｙｐｅバネコンタクトの平面図、右側面図及び底面図である。
【図３７ｃ】本発明に係る第３バネコンタクトの下部接触ピンの接触部をＵ字状に折り曲げたＷＩＲＥ  Ｔｙｐｅバネコンタクトの平面図、右側面図及び底面図である。
【図３８】本発明に係る第３バネコンタクトの下部接触ピンの接触部をＵ字状に折り曲げてＷＩＲＥを連結したバネコンタクト内蔵ソケットの平面図である。
【図３９】本発明に係る上部接触ピン及び下部接触ピンの接触部の形状が、Ｖ字形、面取りしたＶ字形、Ｕ字形、面取りしたＵ字形、Ａ字形、面取りしたＡ字形、ラウンド形、及び面取りしたラウンド形などに様々に適用可能であることを示す図である。
【発明を実施するための形態】
【００１３】
上記目的を達成するために、本発明は、
板状をし、所定のボディ厚さｔを有し、所定形状の接触部、バネの組立長さを固定し且つ離脱を防止するための左右２つの固定突起、及びボディを含む下部接触ピンと；
前記下部接触ピンと互いに直交するように結合し、前記下部接触ピンと同一又は類似に構成された上部接触ピンと；
前記下部接触ピンと前記上部接触ピンとの間に外嵌されるバネと；を含んでなり、
前記下部接触ピンと前記上部接触ピンのボディは、
各端部がボディの厚さより薄い厚さｔ１で形成され且つ各端部に傾斜面、係止突起、及び係止突起接触面が形成された互いに対称な２つの弾性部を有し、２つの弾性部の内側には、前記上部接触ピンと前記下部接触ピンとが互いに結合したときに遊動空間を提供し且つ前記上部接触ピンが前記下部接触ピンの方向に圧縮されて最大遊動の際に互いに接触して停止する左・右傾斜面を有する停止面が一端に備えられた逃げ溝を構成し、前記下部接触ピン及び前記上部接触ピンの係止突起が収容されて係止及び遊動するように且つ前記下部接触ピン及び前記上部接触ピンの係止突起接触面と電気的に接触するように前記下部接触ピン及び前記上部接触ピンに遊動溝を構成し、前記下部接触ピン及び前記上部接触ピンの遊動溝は、上面と下面に同様に構成され、その一端は相対の接触ピンの係止突起を係止させる係止部を提供するための係止孔からなり、他端はバネの組立長さを固定し且つ離脱を防止するための左右２つの固定突起のバネ固定面を通過して接触部の方向にさらに延長され或いは接触部の端まで延長されていることを特徴とするバネコンタクトを提供する。
【００１４】
以下に添付図面を参照しながら、本発明の好適な実施例を詳細に説明する。
【００１５】
これに先立ち、本明細書及び請求の範囲に使用された用語又は単語は、通常的又は辞典的な意味で解釈されてはならず、発明者が自分の発明を最善の方法で説明するために用語の概念を適切に定義することができるという原則に基づき、本発明の技術的思想に符合する意味と概念で解釈されなければならない。
【００１６】
よって、本明細書に記載された実施例及び図面に示された構成は、本発明の最も好適な一つの実施例に過ぎず、本発明の技術的思想を全て代弁するものではないので、本出願時点において、これらを代替することのできる多様な均等物及び変形例がありうることを理解すべきである。
【００１７】
次に、本発明に係る第１バネコンタクトを図５ａ〜図１０に基づいて説明する。
【００１８】
図示の如く、上部接触ピン５１０−１、該上部接触ピン５１０−１と同一の下部接触ピン５１０、及びバネ５０１を含んでなるバネコンタクト５００において、下部接触ピンは、電気の通じる金属材質からなり、通常銅合金の板状をし、所定のボディ厚さｔを有し、通常ニッケルメッキの後、その上に金メッキを施して電気伝導性を極大化したもので、所定形状の接触部５１１、バネの組立長さを固定し且つ離脱を防止するための左右２つの固定突起５１２、５１３、及びボディ５１８を含む。
【００１９】
前記上部接触ピン５１０−１は、前記下部接触ピン５１０と互いに直交するように結合し、下部接触ピン５１０と同様に構成される。
【００２０】
バネ５０１は、前記下部接触ピン５１０と前記上部接触ピン５１０−１との間に外嵌される。前記下部接触ピン５１０及び前記上部接触ピン５１０−１のボディ５１８は、各端部がボディの厚さｔより薄い厚さｔ１で形成され且つ各端部に傾斜面５２２、係止突起５２１及び係止突起接触面５２３が形成された互いに対称な２つの弾性部５１９を有する。
【００２１】
前記２つの弾性部５１９の内側には、前記上部接触ピン５１０−１と前記下部接触ピン５１０とが互いに結合したときに遊動空間を提供し、且つ前記上部接触ピン５１０−１が前記下部接触ピンの方向に圧縮されて最大遊動の際に互いに接触して停止する左・右傾斜面５２６を有する停止面５２５、５４５が一端に備えられた逃げ溝５２０、５４０が形成されている。
【００２２】
前記下部接触ピン５１０と前記上部接触ピン５１０−１の係止突起５２１が収容されて係止及び遊動するように且つ前記下部接触ピン５１０及び前記上部接触ピン５１０−１の係止突起接触面５２３と電気的に接触するように、前記上部接触ピン５１０及び前記下部接触ピン５１０−１に遊動溝５１６を構成する。前記遊動溝５１６は、前記下部接触ピン５１０及び前記上部接触ピン５１０−１の上面と下面に同様に構成され、その一端は相対接触ピンの係止突起５２１を係止させる係止部５１７を提供するための係止孔５２７からなり、他端は前記バネ５０１の組立長さを固定し且つ離脱を防止するための左右２つの固定突起５１２、５１３のバネ固定面５１４を通過して接触部５１１の方向にさらに延長され或いは接触部の端まで延長されていることを特徴とする。
【００２３】
図７ａ及び図７ｂは上部接触ピン、該上部接触ピンと同様の下部接触ピン、及びバネから構成された本発明に係る第１バネコンタクトの正断面図及び側断面図を示し、図５ａ及び図５ｂは上・下部接触ピンの構成及び特徴を示す。図７ｃは本発明の第１バネコンタクトの斜視図を示す。
【００２４】
すなわち、上部接触ピン５１０−１と下部接触ピン５１０は互いに同一の形状及び寸法を有する。図５ａ、図５ｂにおいて、遊動溝５１６の一端は相対接触ピンの係止突起５２１を係止させる係止部５１７を提供するための係止孔５２７からなり、遊動溝５１６の他端は２つの固定突起５１２、５１３のバネ固定面５１４を通過して接触部５１１の方向に端まで延設されたことを特徴とする。また、遊動溝５１６は、所定の深さを有し、溝の底部と他方の溝の底部との距離は２つの弾性部５１９の係止突起５２１の接触面５２３間の距離と同一、或いはそれよりやや大きく、或いはそれよりやや小さくしたことを特徴とする。
【００２５】
図８ａ及び図８ｂは本発明の第１バネコンタクトの上部接触ピンを下部接触ピンの方向に最大圧縮した正断面図及び斜視図を示す。
【００２６】
上部接触ピン５１０−１を下方に圧縮する場合、上部接触ピン５１０−１及び下部接触ピン５１０のボディ５１８に連結された２つのボディの端部５２９が下部接触ピン５１０及び上部接触ピン５１０−１の接触部５１１の端まで到達し、或いは下部接触ピン５１０及び上部接触ピン５１０−１の接触部５１１よりさらに下方に位置しうるように構成して、最大圧縮された長さが上部接触ピン５１０−１及び下部接触ピン５１０の長さと同一になるように構成したことを特徴とする、バネコンタクト５００を提供する。
【００２７】
一方、図６ａ及び図６ｂは、図５ａ及び図５ｂに示した接触ピンのそれに比して、接触ピンの固定突起５３２、５３３から接触部５３１までの長さがさらに延長されたことを特徴とし、遊動溝５３６の一端は相対接触ピンの係止突起５４１を係止させる係止部５３７を提供するための係止孔５４７からなり、遊動溝５３６の他端は、前記バネ５０１の組立長さを固定し且つ離脱を防止するための左右２つの固定突起５３２、５３３のバネ固定面５３４を通過して接触部５３１の方向にさらに延長されているが、接触部５３１の方向に接触部の端まで延長されてはいないことを特徴とする。
【００２８】
本発明の第１バネコンタクトの別の構造は、図５ａ及び図５ｂの接触ピンを下部接触ピン５１０として構成し、図６ａ及び図６ｂの接触ピンを上部接触ピン５３０として構成してバネ５０６と組み立てた状態が図９ａおよび図９ｂの正断面図及び側断面図に示されており、図１０は上部接触ピン５３０を下部接触ピン５１０側へ最大圧縮した状態を示すが、上部接触ピン５３０のボディ端部５４９が下部接触ピンの接触部５１１まで圧縮されるように構成されている。よって、最大圧縮長さは上部接触ピン５３０の長さと同一になるように構成されている。
【００２９】
次に、本発明の第１バネコンタクトの別の構造についてまとめる。
【００３０】
上部接触ピン５３０を下部接触ピン５１０と同様にして形成する。遊動溝５３６は、２つの固定突起５３２、５３３のバネ固定面５３４を通過して接触部５３１の方向にさらに延長されているが、接触部５３１の方向に端まで延長されてはいないことを特徴とする。
【００３１】
下部接触部５１０の遊動溝５１６は、２つの固定突起５１２、５１３の下側のバネ固定面５１４を通過して接触部５１１の方向に端まで延長されるように形成する。よって、上部接触ピン５３０を下方に圧縮する場合、上部接触ピン５３０のボディ５３８に連結された２つのボディ端部５４９が下部接触ピン５１０の接触部５１１の端まで圧縮到達し或いは下部接触ピン５１０の接触部５１１よりさらに下方に位置しうるように構成したことを特徴とする、バネコンタクト５０５を提供する。
【００３２】
一方、前述した上部接触ピン５３０及び下部接触ピン５１０の接触部５１１の形状は、図３９ａ〜図３９ｈに示した、Ｖ字形９５１、面取りしたＶ字形９５２、Ｕ字形９５３、面取りしたＵ字形９５４、Ａ字形９５５、面取りしたＡ字形９５６、ラウンド形９５７、及び面取りしたラウンド形９５８のいずれか一つを接触対象物の特徴に応じて選択して形成することができ、図３９ａ〜図３９ｈに示していない形状も接触対象物の特徴に応じて様々に構成することができる。
【００３３】
また、本発明の第１バネコンタクトは、下部接触ピン５１０の遊動溝５３６を２つの固定突起５１２、５１３の下側のバネ固定面５１４を通過して接触部５１１の方向に端まで延長されるように形成することを主特徴とする。
【００３４】
よって、上部接触ピン５３０と下部接触ピン５１０を同一に構成する場合、バネコンタクト５００の最大圧縮時の長さが上部接触ピン或いは下部接触ピンの長さと同じバネコンタクトを提供し、また、上部接触ピン５３０の２つの固定突起５３２、５３３から接触部５３１までの長さを下部接触ピン５１０より長く構成する場合、バネコンタクト５０５の最大圧縮時の長さが上部接触ピン５３０の長さと同じバネコンタクト５０５を提供する。
【００３５】
したがって、本発明の第１バネコンタクトは、バネコンタクト５０５の圧縮長さを１ｍｍ以下まで最小化するための接触ピンの構造を提供し、高速信号を処理することが可能なバネコンタクト５００、５０５を提供する。
【００３６】
次に、図１１ａ〜図１３ｃでは本発明に係る第１バネコンタクトを内蔵する本発明の第１ソケットの構造について説明する。
【００３７】
バネコンタクト５０５を内蔵するソケット５６０を構成するにあたって、 通常エンジニアリングプラスチック材質の上側プレート５６１及び下側プレート５６２と、通常ＩＣの端子とＰＣＢの対応する端子とを電気的に接続するためのバネコンタクト５０５から構成するが、上側プレート５６１と下側プレート５６２には所定のバネコンタクト５０５を収納することが可能な１個或いは複数個の収納孔５６５、５６６を形成し、上側プレート５６１と下側プレート５６２とを組み立てる構造である。従来の場合、上側プレート５６１と下側プレート５６２の厚さが約２ｍｍ以上であるから、通常小さいボルトを用いて組み立てた。
【００３８】
ところが、前記上側プレート５６１と下側プレート５６２の厚さが２ｍｍ以下或いは１ｍｍに薄くなると、ボルトを用いて上・下側プレート５６１、５６２を組み立てることが寸法的に不可能となる。
【００３９】
すなわち、前記上側プレート５６１と前記下側プレート５６２の厚さが１ｍｍになる場合、上側プレート５６１と下側プレート５６２とを組み立てるボルトの全体長さが１ｍｍ以下にならなければならず、ボルトヘッドの高さが０．４ｍｍであることを勘案すれば、ボルトのネジ長さは０．５ｍｍ以下にしかならなくなり、通常、上側プレート５６１と下側プレート５６２の全体厚さが２ｍｍ以下の場合にはボルトを用いて上側プレート５６１と下側プレート５６２とを組み立てることが難しい実情である。
【００４０】
本発明に係る第１バネコンタクトを内蔵する本発明の第１ソケットの構造は、従来とは異なりボルトを使用せず、薄い厚さのソケット５６０の上側プレート５６１と下側プレート５６２とを組み立てる構造を提供する。
【００４１】
バネコンタクト５０５を内蔵するソケット５６０を構成するにあたって、通常、エンジニアリングプラスチック材質の上側プレート５６１および下側プレート５６２と、通常ＩＣの端子とＰＣＢの対応する端子とを電気的に接続するためのバネコンタクト５０５から構成するが、上側プレート５６１と下側プレート５６２には所定のバネコンタクト５０５を収納することが可能な１個或いは複数個の収納孔５６５、５６６を形成し、上側プレート５６１と下側プレート５６２を組み立てる構造であって；
上側或いは下側に複数個の係止突起５６４を形成し、係止突起５６４が相対の下側或いは上側に組み立てられるように対応する係止部５６３を形成して下側プレート５６２を上側に組み立てるとき、下側或いは上側に形成された複数の係止突起５６４が相対の上側或いは下側の対応する係止部５６３に組み立てられるようにするが、上・下側プレート５６１、５６２を分解するとき、前記係止突起５６４或いは係止部５６３が弾性変形しながら組立できるように、係止突起５６４或いは係止部５６３の隣に長孔５６８を形成して係止突起５６４或いは係止部５６３の両側に薄い弾性部５６９を構成することを特徴とするソケット組立構造を提供する。
【００４２】
したがって、本発明に係る第１バネコンタクトを内蔵する本発明の第１ソケットの構造は、従来とは異なりボルトを使用せず、上側プレート５６１に複数の係止突起５６４或いは係止部５６３、これに対応する係止部５６３或いは係止突起５６４を下側プレート５６２に形成して上・下側プレート５６１、５６２を組み立て、係止部５６３と係止突起５６４が互いに組立／分解される動作をする間、いずれか一方或いは両方が弾性的に変形をすれば組立／分解されるので、弾性的変形が行われるようにするために、係止部５６３及び係止突起５６４の少なくとも一方はその隣に長孔５６８を形成することにより、係止部５６３及び係止突起５６４の少なくとも一方が弾性的に変形可能となるように弾性部５６９を形成することを特徴とする。
【００４３】
よって、本発明の第１バネコンタクトを内蔵する本発明の第１ソケットの構造は、短いバネコンタクト内蔵ソケットの効果的な組立構造を提供する。
【００４４】
次に、図１４ａ〜図１７において、本発明の第１バネコンタクトを内蔵する本発明の第１ソケットの電磁気遮蔽型構造を説明すると、通常、多種の信号を流すＩＣとＰＣＢとを電気的に接続する場合、各種信号間にお互いに妨害と混線を誘発させて効果的に損失又は歪なしで信号を伝達することが必要である。
【００４５】
よって、本発明の第１バネコンタクトを内蔵する本発明の第１ソケットの電磁気遮蔽型構造は、１個或いは複数個のバネコンタクト５０５を内蔵するソケット５８０を構成するにあたって、上側プレート５８４、下側プレート５８５、及びバネコンタクト５０５から構成するが；上側プレート５８４と下側プレート５８５には所定のバネコンタクト５０５を収納することが可能な１個或いは複数個の収納孔５８６、５８７を形成し、上側プレート５８４の上側に形成されたコンタクト収納孔５８６の外部形状を柱５８１の形状に形成して柱５８１と柱５８１との間には空間５８２を形成し、これらの柱５８１が通過し得るように多数の柱５８１に対応する孔５７１を形成した電磁気遮蔽プレート５７０が前記上側プレート５８４に覆われるようにし、ＰＣＢへのソケット５８０の組立時に遮蔽プレート５７０がＰＣＢのグラウンドと電気的に接続されるように構成した電磁気遮蔽型ソケット構造を提供する。
【００４６】
一方、図１８ａ〜図２１ｂでは本発明の第２バネコンタクトを示す。本発明の第２バネコンタクトは、下部接触ピン６２０の接触部６２１、上部接触ピン６００、６４２、及びバネ６０１から構成されたバネコンタクト６３０、６４０において、所定の形状の接触部６２１、バネの組立長さを固定し且つ離脱を防止するための左右２つの固定突起６１２、及びボディ６１８を含む下部接触ピン６２０と、前記下部接触ピン６２０と互いに直交するように結合し、下部接触ピン６２０に対して接触部６１１、６４１を偏心するように構成した上部接触ピン６００と、下部接触ピン６２０と上部接触ピン６００との間に外嵌されるバネ６０１とを含んでなり、接触ピン６００、６４２は、電気の通じる金属材質からなり、通常銅合金の板状をし、所定のボディ厚さｔを有し、通常ニッケルメッキの後、その上に金メッキを施して電気伝導性を極大化したものである。前記下部接触ピン６２０と前記上部接触ピン６００のボディ６１８は、各端部がボディの厚さｔより薄い厚さｔ１で形成され且つ各端部に傾斜面６２２、係止突起６２４及び係止突起接触面６２３が形成された互いに対称な２つの弾性部６１９を有し、２つの弾性部６１９の内側には、前記上部接触ピン６００と下部接触ピン６２０とが互いに結合したときに遊動空間を提供し、且つ上部接触ピン６００が下部接触ピン６２０の方向に圧縮されて最大遊動の際に互いに接触停止する左・右に傾斜面６２２を有する停止面６１７が端部に備えられた逃げ溝６１５を構成し、前記下部接触ピン６２０及び上部接触ピン６００の係止突起６２４が収容されて係止及び遊動するように且つ前記下部接触ピン６２０および上部接触ピン６００の係止突起接触面６２３と電気的に接触するように、上部接触ピン６００及び下部接触ピン６２０に遊動溝６１６を構成する。
【００４７】
図１８ａ〜図１９ｂにおいて、遊動溝６１６は、接触ピンの上面と下面に同様に構成され、その一端は相対接触ピンの係止突起６２４を係止させる係止部６１４を提供するための係止孔６１４−１からなり、他端は前記バネ６０１の組立長さを固定し且つ離脱を防止するための左右２つの固定突起６１２のバネ固定面６１２−１を通過して接触部６２１の方向にさらに延長されて形成されたことを特徴とする。
【００４８】
また、前記遊動溝６１６は、所定の深さを有し、溝の底部と他方の溝の底部との距離は２つの弾性部６１９の係止突起６２４の接触面６２３間の距離と同一、或いはそれよりやや大きく、或いはそれよりやや小さくしたことを特徴とする。
【００４９】
したがって、本発明の第２バネコンタクトは、上部接触ピン６００を所定形状の接触部６１１がボディ６１８の中心に対して偏心するように延長することにより、下部接触ピン６２０の接触部６２１と上部接触ピン６００の接触部６１１が上下偏心するようにすることを特徴とする、偏心バネコンタクト６３０、６４０を提供する。
【００５０】
図２０ａ、図２０ｂ、図２１ａ及び図２１ｂにおいて、本発明の第２バネコンタクトの下部接触ピン６２０の接触部６２１と上部接触ピン６００の接触部６１１が上下偏心した状態を示す。
【００５１】
しかも、前述した上部接触ピン６００及び下部接触ピン６２０の接触部６１１、６２１の形状は、図３９ａ〜図３９ｈに示した、Ｖ字形９５１、面取りしたＶ字形９５２、Ｕ字形９５３、面取りしたＵ字形９５４、Ａ字形９５５、面取りしたＡ字形９５６、ラウンド形９５７、及び面取りしたラウンド形９５８のいずれか一つを接触対象物の特徴に応じて選択して形成することができ、図３９ａ〜図３９ｈに示していない形状も接触対象物の特徴に応じて様々に構成することができる。
【００５２】
次に、図２２ａ〜図２２ｃでは本発明の第２バネコンタクトの偏心バネコンタクトを内蔵するソケットの構造を例示する。
【００５３】
ソケット６６０を構成するにあたって、上側プレート６６１、下側プレート６６２、及び複数のガイドピン６６３から構成し、上側プレート６６１と下側プレート６６２には所定のバネコンタクト収納孔を複数個構成するが、前記下部接触ピン６２０の接触部６２１と上部接触ピン６００の接触部６１１が上下偏心したバネコンタクト６３０（仮称Ａ）と、下部接触ピン６２０の接触部６２１と上部接触ピン６００の接触部６１１が同心のバネコンタクト６５０（仮称Ｂ）をＡ、Ｂ、Ａの順に配列するが；上部接触ピン６００が一直線となるように配列し、上部接触ピン６００間の間隔ピッチ（仮称Ｐ）を複数の下部接触ピン６２０の接触部６２１と上部接触ピン６００の接触部６１１が同心のバネコンタクト６５０を一列に配列可能な間隔より１／３の間隔で配列することができるようにし、ひいては、上下接触部６１１、６２１が偏心した距離を異ならしめて構成した複数種の偏心したバネコンタクト６５０Ｃ、Ａと、上下接触部６１１、６２１が同心のバネコンタクト６５０Ｂとの組み合わせ配列としてＣ、Ａ、Ｂ、Ａ、Ｃのように一列に配列して上部接触ピン６００の間隔ピッチを複数個分の一に配列するようにすることを特徴とする、挟ピッチソケットの構造を示す。
【００５４】
本発明の第２バネコンタクトの偏心バネコンタクトを内蔵するソケットの構造は、極めて小さいピッチ（０．４ｍｍ間隔以下）の端子配列を有するテスト対象物、すなわちＬＣＤのリード或いは狭ピッチ（０．４ｍｍ間隔以下）の端子配列を有するＩＣをテストすることができるように発明したバネコンタクト及びバネコンタクト内蔵ソケットの構造を提供する。
【００５５】
次に、本発明の第３バネコンタクト、第３バネコンタクト内蔵ソケット及び第３バネコンタクトの多様なハンダ付け構造を、図２４ａ〜図３６ｃを参照して説明する。
【００５６】
上部接触ピン７０５、下部接触ピン７１０、及びバネ７０１から構成されたバネコンタクト７００において、
所定形状の接触部７１１、バネの組立長さを固定し且つ離脱を防止するための左右２つのバネ固定面７１４、及びボディ７１８を含む下部接触ピン７１０と、前記下部接触ピン７１０と互いに直交するように結合し、所定形状の接触部７３５、バネ７０１の組立長さを固定し且つ離脱を防止するための左右２つの固定突起７３２、バネ固定面７３４、及びボディ７１８を含む上部接触ピン７０５と、前記下部接触ピン７１０と上部接触ピン７０５との間に外嵌されるバネ７０１とを含んでなり、各接触ピンは、板形状をし、ボディの厚さｔを有し、通常、ニッケルメッキの後、その上に金メッキを施して電気伝導性を極大化したものであり、前記下部接触ピン７１０及び前記上部接触ピン７０５のボディ７１８は、各端部がボディの厚さより薄い厚さｔ１で形成され且つ各端部に傾斜面７２２、係止突起７２１、及び係止突起接触面７２３が形成された互いに対称な２つの弾性部７１９を有し、２つの弾性部７１９の内側には、前記上部接触ピン７０５と前記下部接触ピン７１０とが相互結合したときに遊動空間を提供し、且つ相互最大遊動の際に互いに接触して停止する左右に傾斜面７２６を有する停止面７２５が一端に備えられた逃げ溝７２０を構成し、前記下部接触ピン７１０及び上部接触ピン７０５の係止突起７２１が収容されて係止及び遊動するように且つ前記下部接触ピン７１０及び上部接触ピン７０５の係止突起接触面７２３と電気的に接触するように上部接触ピン７０５及び下部接触ピン７１０に遊動溝７１６を構成し、前記遊動溝７１６は、各上部接触ピン７０５および下部接触ピン７１０の上面と下面に同様に構成され、その一端は相対接触ピンの係止突起７２１を係止させる係止部７１７を提供するための係止孔７２７からなり、他端は前記バネ７０１の組立長さを固定し且つ離脱を防止するための左右２つのバネ７０１の固定面７１４、７３４を通過して接触部７１１、７３５の方向にさらに延長され、下部接触ピン７１０の遊動溝７１６の延長された端には孔７２８を形成したことを特徴とする。
【００５７】
また、前記遊動溝７１６は、所定の深さを有し、溝の底部と他方の溝の底部との距離は２つの弾性部７１９の係止突起７２１の係止突起接触面７２３間の距離と同一、或いはそれよりやや大きく、或いはそれよりやや小さくしたことを特徴とする。
【００５８】
前記下部接触ピン７１０は、２つのバネ固定面７１４をさらに延長してソケットのモールド物７４１に下部接触ピン７１０を圧入固定する目的で、組立停止面７１３を構成し、両方向にさらに延長された固定突起７３２を形成し、固定突起７３２の端部７２９には、ソケットのモールド物７４１に下部接触ピン７１０を圧入した後の抜けを防止する目的で圧入固定突起７３０をさらに有し、下部接触ピン７１０の接触部７１１はＰＣＢにハンダ付けすることを特徴とする。
【００５９】
一方、図２４ａ及び図２４ｂは本発明の第３バネコンタクトの下部接触ピン、図２５ａ及び図２５ｂは上部接触ピン、図２６ａ及び図２６ｂは本発明の第３バネコンタクトを示す。
【００６０】
前述した上部接触ピン７０５及び下部接触ピン７１０の接触部７３５、７１１の形状は、図３９ａ〜図３９ｈに示した、Ｖ字形９５１、面取りしたＶ字形９５２、Ｕ字形９５３、面取りしたＵ字形９５４、Ａ字形９５５、面取りしたＡ字形９５６、ラウンド形９５７、及び面取りしたラウンド形９５８のいずれか一つを接触対象物の特徴に応じて選択して形成することができ、図３９ａ〜図３９ｈに示していない形状も接触対象物の特徴に応じて様々に構成することができる。
【００６１】
次に、本発明の第３バネコンタクト及び第３バネコンタクト内蔵ソケットの構造を、図２７ａ〜図２９ｃを参照して説明する。
【００６２】
バネコンタクトを１個或いは複数個内蔵するソケットにおいて、バネコンタクトは、上部接触ピン７０５、下部接触ピン７１０及びバネ７０１から構成されたバネコンタクト７００において、所定形状の接触部７１１、バネ７０１の組立長さを固定し且つ離脱を防止するための左右２つのバネ固定面７１４、及びボディ７１８を含む下部接触ピン７１０と、前記下部接触ピン７１０と互いに直交するように結合し、所定形状の接触部７３５、バネ７０１の組立長さを固定し且つ離脱を防止するための左右２つの固定突起７３２、バネ固定面７３４、及びボディを含む上部接触ピン７０５と、前記下部接触ピン７１０と前記上部接触ピン７０５との間に外嵌されるバネ７０１とを含んでなり、
各接触ピンは、板状をし、所定のボディの厚さｔを有し、通常ニッケルメッキの後、その上に金メッキを施して電気伝導性を極大化したものであり、前記下部接触ピン７１０と前記上部接触ピン７０５のボディ７１８は、各端部がボディの厚さより薄い厚さｔ１で形成され且つ各端部に傾斜面７２２、係止突起７２１及び係止突起接触面７２３が形成された互いに対称な２つの弾性部７１９を有し、２つの弾性部７１９の内側には、前記上部接触ピン７０５と下部接触ピン７１０とが互いに結合したときに遊動空間を提供し、且つ相互最大遊動の際に互いに接触して停止する左右に傾斜面７２６を有する停止面７２５が一端に備えられた逃げ溝７２０を構成し、前記下部接触ピン７１０及び上部接触ピン７０５の係止突起７２１が収容されて係止及び遊動するように且つ前記下部接触ピン７１０及び上部接触ピン７０５の係止突起接触面７２３と電気的に接触するように、上部接触ピン７０５及び下部接触ピン７１０に遊動溝７１６を構成し、前記遊動溝７１６は、各上部接触ピン７０５及び下部接触ピン７１０の上面と下面に同様に構成され、その一端は相対接触ピンの係止突起７２１を係止させる係止部７１７を提供するための係止孔７２７からなり、他端は前記バネ７０１の組立長さを固定し且つ離脱を防止するための左右２つのバネ固定面７１４、７３４を通過して接触部７１１の方向にさらに延長され、下部接触ピン７１０の遊動ピン７１６の延長された端には孔７２８を形成したことを特徴とする。
【００６３】
また、遊動溝７１６は、所定の深さを有し、溝の底部と他方の溝の底部との距離は２つの弾性部７１９の係止突起７２１の係止突起接触面７２３間の距離と同一、或いはそれよりやや大きく、或いはそれよりやや小さくしたことを特徴とする。
【００６４】
前記下部接触ピン７１０は、２つのバネ固定面７１４をさらに延長してソケットのモールド物７４１に下部接触ピン７１０を圧入固定する目的で、組立停止面７１３を構成し、両方向にさらに延長された固定突起７３２を形成し、固定突起の端部７２９にはソケットのモールド物７４１に下部接触ピン７１０を圧入した後の抜けを防止する目的で圧入固定突起７３０をさらに有し、下部接触ピン７１０の接触部７１１はＰＣＢにハンダ付けすることを特徴とし、ソケットのモールド物７４１は、前記コンタクト７００を１個或いは複数個収納する収納孔７４３を形成し、前記収納孔７４３の一側には上部接触ピン７０５の接触部７３５が収納孔７４３の外部へ突出して遊動するように遊動孔７４２を形成し、収納孔７４３の他側には下部接触ピン７１０の２つのバネ固定突起７３２を延長して端部に形成された圧入固定突起７３０が圧入固定できるように圧入固定溝７４５が形成され、両側の２つの圧入溝７４５の外壁７４６間の間隔及び溝の幅はバネコンタクト７００の固定突起７３２の２つの端部７２９間の距離及び下部接触ピン７１０の厚さがガイドされるように形成し、一側には前記下部接触ピン７１０のバネ固定面７１４をさらに延長した組立停止面７１３が停止するように圧入停止面７４４が形成され、ソケットモールド物７４１の下側にはＰＣＢへのハンダ付けの際にＰＣＢにソケットが密着水平をなしてハンダ付けされるようにソケット安着突起(stand-off)７４７を形成し、前記バネコンタクト７００は前記ソケットモールド物７４１の収納孔７４３内に収納され、下部接触ピン７１０はソケットモールド物７４１に固定され、上部接触ピン７０５は前記遊動孔７４２を通じて上下圧縮遊動するように構成し、下部接触ピン７１０の接触部７１１はＰＣＢにハンダ付けすることを特徴とする。
【００６５】
図２７ａ〜図２７ｄは本発明の第３バネコンタクト内蔵ソケットモールドの構造を示す。本発明の第３バネコンタクト内蔵ソケットモールドの材質は通常エンジニアリングプラスチックを使用する。
【００６６】
図２８ａ及び図２８ｂは本発明の第３バネコンタクト内蔵ソケットの構造を示し、図２９ａ〜図２９ｃは複数個の本発明の第３バネコンタクトを内蔵するソケットを示す。
【００６７】
本発明の第３バネコンタクトを内蔵するソケットは、パーソナルコンピュータ（ＰＣ）、モバイルホーンの内部にあるＰＣＢにＣＰＵなどのＩＣの端子（リード）を電気的に接続させるバネコンタクト７００及びバネコンタクト内蔵ソケット７５０、各種バッテリーコネクター、カラープリンターのインクカートリッジに電気的に接続されるソケット、そしてより広範囲には一方から他方に電気的に接続するための多様なバネコンタクト内蔵ソケットを提供する。
【００６８】
次に、図３０ａ〜図３６ｃを参照して、本発明の第３バネコンタクトの多様な活用構造とこれらを内蔵するソケットの構造について説明する。
【００６９】
図２８ａ及び図２８ｂでは、下部接触ピン７１０の接触部７１１を一字状に直下方向に長く形成してＰＣＢへのスルーホールハンダ付け(Thru  Hole  Soldering)型ソケットを構成することを示す。
【００７０】
図２９ａ、図２９ｂ及び図２９ｃでは、本発明に係る第３バネコンタクトを内蔵したソケット（Ｖｅｒｔｉｃａｌ Ｔｙｐｅ）７５１の複数配列構造を示す。
【００７１】
図３０ａおよび図３０ｂでは下部接触ピン８０１の接触部８０２が９０°折り曲げられたことを特徴とするバネコンタクト８００を示し、図３０ｃではＰＣＢへの水平（Ａｎｇｌｅ  Ｔｙｐｅ）スルーホールハンダ付け型ソケットを示す。
【００７２】
図３１ａ及び図３１ｂでは下部接触ピン８１１の接触部８１２を一字状に直下方向に短く形成してＰＣＢにハンダ付けする垂直表面実装(SMT  Soldering)型バネコンタクトを示し、図３２ａ〜図３２ｃでは垂直表面実装(SMT  Soldering)型バネコンタクト内蔵ソケットを示す。
【００７３】
図３３ａ及び図３３ｂでは下部接触ピン８２０の接触部８２２が９０°２回「Ｓ」字状に折り曲げられたことを特徴とするバネコンタクトを示し、図３４ａ及び図３４ｂはＰＣＢへの水平（Ａｎｇｌｅ  Ｔｙｐｅ）表面実装(SMT  Soldering)型ソケットを示す。
【００７４】
図３５ａ〜図３５ｄでは下部接触ピン９２１の接触部９２２、９２３の端部が２つ形成され、両側に９０°分岐折り曲げられたタイプのバネコンタクトを示し、図３６ａ、図３６ｂ及び図３６ｃでは前記下部接触ピン９２１の接触部９２２、９２３の端部が２つ形成され、両側に９０°分岐折り曲げられたタイプのバネコンタクトを複数個内蔵する、ＰＣＢへの垂直表面実装(SMT  Soldering)型ソケットを示す。
【００７５】
また、図３７ａ〜図３７ｃでは下部接触ピン９３１の接触部９３２をＵ字状に折り曲げて電線９３７、ワイヤー９３６に連結できるように構成したことを特徴とするバネコンタクトを示し、図３８では前記ワイヤー連結型バネコンタクトに電線９３７、ワイヤー９３６を下部接触ピン９３１のＵ型接触部の内部に圧着或いはハンダ付けすることができるようにしたことを示した。
【００７６】
また、図３９に示すように、前述した多様な本発明のバネコンタクトの上部接触ピン及び下部接触ピンの接触部９５１、９５２、９５３、９５４、９５５、９５６、９５７、９５８の形状はＶ字形、面取りしたＶ字形、Ｕ字形、面取りしたＵ字形、Ａ字形、面取りしたＡ字形、ラウンド形、及び面取りしたラウンド形のいずれか一つである。
【００７７】
以上説明した本発明は、本発明の属する技術分野における通常の知識を有する者であれば、本発明の技術的思想を逸脱しない範囲内において、様々な置換、変形及び変更が可能なので、前述した実施例及び添付図面に限定されるものではない。
【符号の説明】
【００７８】
５００、５０５、６３０、６４０、７００、８００、８１０、８２０、９２０、９３０    バネコンタクト
５６０、５８０、５９０、６６０、７５０、７５１、８０５、８１５、８２５、９２５バネコンタクト内蔵ソケット
１１０、５１０、５３０、６００、６４２、７０５    上部接触ピン
１３０、５１０、７１０、８０１、８１１、８２１、９２１、９３１    下部接触ピン
１９０、５０１、５０６、６０１、７０１    バネ
１１１、５１１、５３１、６１１、６４１、７１１、７３５、８０２、８１２、８２２、９２２、９２３、９３２    接触部
１１２、１１３、５１２、５１３、５３２、５３３、６１２、７１２、７３２    固定突起
１５０、５１４、５３４、７１４、７３４    バネ固定面
１１６、５１６、５３６、６１６、７１６    遊動溝
１１７、５１７、５３７、７１７    係止部
５２７、５４７、７２７    係止孔
１１８、５１８、５３８、６１８、７１８    ボディ
５２９、５４９    ボディ端部
１１９、５１９、５３９、６１９、７１９    弾性部
１２０、５２０、５４０、７２０    逃げ溝
１４０、５２５、５４５、７２５    停止面
１２１、５２１、５４１、７２１    係止突起
１２２、５２２、５４２、７２２    傾斜面
１２３、５２３、５４３、７２３    接触面
１２４、５２４、５４４    側面接触部
【図１】
0005438224.tif 000002
【図２】
0005438224.tif 000003
【図３ａ】
0005438224.tif 000004
【図３ｂ】
0005438224.tif 000005
【図４ａ】
0005438224.tif 000006
【図４ｂ】
0005438224.tif 000007
【図５ａ】
0005438224.tif 000008
【図５ｂ】
0005438224.tif 000009
【図６ａ】
0005438224.tif 000010
【図６ｂ】
0005438224.tif 000011
【図７ａ】
0005438224.tif 000012
【図７ｂ】
0005438224.tif 000013
【図７ｃ】
0005438224.tif 000014
【図８ａ】
0005438224.tif 000015
【図８ｂ】
0005438224.tif 000016
【図９ａ】
0005438224.tif 000017
【図９ｂ】
0005438224.tif 000018
【図１０】
0005438224.tif 000019
【図１１ａ】
0005438224.tif 000020
【図１１ｂ】
0005438224.tif 000021
【図１１ｃ】
0005438224.tif 000022
【図１２】
0005438224.tif 000023
【図１３ａ】
0005438224.tif 000024
【図１３ｂ】
0005438224.tif 000025
【図１３ｃ】
0005438224.tif 000026
【図１４ａ】
0005438224.tif 000027
【図１４ｂ】
0005438224.tif 000028
【図１５ａ】
0005438224.tif 000029
【図１５ｂ】
0005438224.tif 000030
【図１５ｃ】
0005438224.tif 000031
【図１６ａ】
0005438224.tif 000032
【図１６ｂ】
0005438224.tif 000033
【図１７】
0005438224.tif 000034
【図１８ａ】
0005438224.tif 000035
【図１８ｂ】
0005438224.tif 000036
【図１９ａ】
0005438224.tif 000037
【図１９ｂ】
0005438224.tif 000038
【図２０ａ】
0005438224.tif 000039
【図２０ｂ】
0005438224.tif 000040
【図２１ａ】
0005438224.tif 000041
【図２１ｂ】
0005438224.tif 000042
【図２２ａ】
0005438224.tif 000043
【図２２ｂ】
0005438224.tif 000044
【図２２ｃ】
0005438224.tif 000045
【図２２ｄ】
0005438224.tif 000046
【図２３ａ】
0005438224.tif 000047
【図２３ｂ】
0005438224.tif 000048
【図２３ｃ】
0005438224.tif 000049
【図２４ａ】
0005438224.tif 000050
【図２４ｂ】
0005438224.tif 000051
【図２５ａ】
0005438224.tif 000052
【図２５ｂ】
0005438224.tif 000053
【図２６ａ】
0005438224.tif 000054
【図２６ｂ】
0005438224.tif 000055
【図２７ａ】
0005438224.tif 000056
【図２７ｂ】
0005438224.tif 000057
【図２７ｃ】
0005438224.tif 000058
【図２７ｄ】
0005438224.tif 000059
【図２８ａ】
0005438224.tif 000060
【図２８ｂ】
0005438224.tif 000061
【図２９ａ】
0005438224.tif 000062
【図２９ｂ】
0005438224.tif 000063
【図２９ｃ】
0005438224.tif 000064
【図３０ａ】
0005438224.tif 000065
【図３０ｂ】
0005438224.tif 000066
【図３０ｃ】
0005438224.tif 000067
【図３１ａ】
0005438224.tif 000068
【図３１ｂ】
0005438224.tif 000069
【図３２ａ】
0005438224.tif 000070
【図３２ｂ】
0005438224.tif 000071
【図３２ｃ】
0005438224.tif 000072
【図３３ａ】
0005438224.tif 000073
【図３３ｂ】
0005438224.tif 000074
【図３４ａ】
0005438224.tif 000075
【図３４ｂ】
0005438224.tif 000076
【図３５ａ】
0005438224.tif 000077
【図３５ｂ】
0005438224.tif 000078
【図３５ｃ】
0005438224.tif 000079
【図３５ｄ】
0005438224.tif 000080
【図３６ａ】
0005438224.tif 000081
【図３６ｂ】
0005438224.tif 000082
【図３６ｃ】
0005438224.tif 000083
【図３７ａ】
0005438224.tif 000084
【図３７ｂ】
0005438224.tif 000085
【図３７ｃ】
0005438224.tif 000086
【図３８】
0005438224.tif 000087
【図３９（ａ）】
0005438224.tif 000088
【図３９（ｂ）】
0005438224.tif 000089
【図３９（ｃ）】
0005438224.tif 000090
【図３９（ｄ）】
0005438224.tif 000091
【図３９（ｅ）】
0005438224.tif 000092
【図３９（ｆ）】
0005438224.tif 000093
【図３９（ｇ）】
0005438224.tif 000094
【図３９（ｈ）】
0005438224.tif 000095